(57)【要約】【課題】識別子の認識率を高める。【解決手段】インターネットに接続可能は携帯電話には小型プリンタが接続され、サイトにアクセスして入手した画像、メッセージ等、あるいはサイトにアクセスするためのＵＲＬ等をカードサイズの印刷媒体に印刷可能である。小型プリンタの幅方向の一端部にはスキャナ部が設けられ、スキャナ部によってカード印刷物全体や、カードサイズ読取り媒体Ｂ５の一部分を読取り可能である。これによって、ＵＲＬカードに記録された文字を文字認識し、ネットワーク上の、サイトへのアクセスに必要な情報、例えばＵＲＬ、メールアドレス等の識別子を取得する。【選択図】  図１
2004192041.tif 000002
【特許請求の範囲】
【請求項１】
ネットワークに接続するための識別子を示す文字列内に含まれる、文字認識に適さない文字等（以下「認識困難文字」という。）を識別する識別ステップと、
前記認識困難文字を所定の記号等（以下「認識用文字」という。）に変換する変換ステップと、
前記識別子を印刷する際に認識困難文字を認識用文字に変換して印刷する制御ステップと、
を有することを特徴とする印刷制御方法。
【発明の詳細な説明】
【０００１】
【発明が属する技術分野】
本発明はネットワーク接続のための識別子を印刷する際の印刷制御方法に関する。
【０００２】
【従来の技術】
近年、インターネットの普及により、ネットワークを活用したパーソナルコンピュータ利用が進展しており、インターネットを利用した個人間の電子メール交換のみならず、企業の情報提供サービス、音楽、ゲーム等のコンテンツ販売等、商用利用も飛躍的に拡大してきている。
【０００３】
インターネットにおいて、ワールドワイドウェブ（以下、ｗｗｗと略記する）などを利用しウエッブページを入手する際には、接続先特定のため、ＵＲＬ（Ｕｎｉｆｏｒｍ  Ｒｅｓｏｕｒｃｅ  Ｌｏｃａｔｏｒ）を指定する必要がある。現在、ＵＲＬは、雑誌、新聞等の紙面等（以下，ＵＲＬ掲載紙面等という。）で入手可能である。
【０００４】
一方、インターネットに接続可能な情報機器として、パーソナルコンピュータのみならず携帯電話、ゲーム機など多様である。
【０００５】
従来、目的とするウエブページを取得する際には、ブラウザソフトウエアのＵＲＬ入力部に、ＵＲＬ掲載紙面等を参照しながら、ＵＲＬをキーボード入力していた。
【０００６】
しかし、ＵＲＬ掲載紙面等のＵＲＬの記載は、文字が非常に細かいことが多く、キーボード操作が煩雑であり、入力間違いも生じやすい。
【０００７】
他のウエブページ取得方法として、ポータルサイトと呼ばれる情報検索サービスのＵＲＬを記憶しておき、ポータルサイトの検索機能を用いて、目的の情報サーバのＵＲＬを表示する方法がある。検索結果として表示されたＵＲＬをクリックすることにより、ウエブページを表示し得る。
【０００８】
ポータルサイトの例としてはアメリカ・オンライン社が提供しているウェブクローラー（ＷｅｂＣｒａｗｌｅｒ）やヤフー社が提供しているＹａｈｏｏ等がある。
【０００９】
しかしながら、ポータルサイトでは、膨大な個数のウエブページが抽出されることが多く、目的の情報サーバへの絞込みには、煩雑なキーボード操作を要する。
【００１０】
そこで、最も迅速にウエブページを取得する方法はＵＲＬの直接入力であるという前提にたち、ＵＲＬの簡易入力方法に関して、特開平９−２７４６４６号（従来例１という。）、特開平１０−５１７２５号（従来例２という。）、特開平１０−１７１７５７号（従来例３という。）、特開平１０−１３３９８２号（従来例４という。）、特開２０００−２０７３３８号（従来例５という。）が提案されている。
【００１１】
従来例１は、紙面上に書かれたＵＲＬを光学的に読取り、ＵＲＬ画像のテンプレートに対応する部分を抽出し、抽出した部分画像の文字列を文字認識する。
【００１２】
従来例２は、ＩＰアドレスなどを光学的に読取り、文字認識した上で識別し、識別したＩＰアドレスを本体装置に出力する。
【００１３】
従来例３は、入力画像を文字認識し、文字認識した結果をネットワークプログラムのアドレス入力部に取り込んで、ネットワーク通信を行う。
【００１４】
従来例４は、ハンディスキャナでＵＲＬの画像を読み取り、画像において、ＩＰアドレスなどのリソースを画像認識する。
【００１５】
従来例５は、撮像手段で取り込んだ画像データを文字認識し、あらかじめ登録されているＵＲＬなどの文字列と認識結果の文字列を比較し、その比較結果に基づいてネットワークにアクセスする。
【００１６】
【発明が解決しようとする課題】
ネットワークに接続するための識別子（ＵＲＬ）などを光学的に読取り文字認識した上で認識した識別子（ＵＲＬ）を使ってネットワークに接続する、従来方法においては、光学的な読取り不良や文字認識時の認識不良などを充分考慮しておらず、誤認識が生じた場合は再度読取り操作を行い、あるいはキーを使って修正作業を行う必要があった。
【００１７】
特にＵＲＬでよく使用されるドット（．）やコロン（：）は、画素数が極めて少ない文字であり、印刷面の汚れとの判別でない。
【００１８】
このため文字認識率が向上せず、文字認識技術が活用されていない。
【００１９】
本発明はこのような従来の問題点を解消すべく創案されたもので、識別子の認識率を高めることを目的とする。
【００２０】
【００２１】
【課題を解決するための手段】
本発明に係る印刷制御方法は、ネットワークに接続するための識別子を示す文字列内に含まれる、文字認識に適さない文字等（以下「認識困難文字」という。）を識別する識別ステップと、前記認識困難文字を所定の記号等（以下「認識用文字」という。）に変換する変換ステップと、前記識別子を印刷する際に認識困難文字を認識用文字に変換して印刷する制御ステップとを有する。
【００２２】
【発明の実施の形態】
次に、本発明に係る印刷制御方法の好適な実施形態を図面に基づいて説明する。
【００２３】
［第１の実施形態］
図１は、第１の実施形態を示すシステム全体の構成図、図２は、図１における小型プリンタの構成図、図３ａは、従来の印刷媒体を示す平面図、図３ｂは、図１における印刷媒体を示す平面図、図４ａは、文字認識における、正常な文字切り出しを示す概念図、図４ｂは、文字認識における、異常な文字切り出しを示す概念図、図５は、図２の小型プリンタを示すブロック図、図６は、図２の小型プリンタのメモリマップ、図７は、図２の小型プリンタの変換テーブルを示す表、図８は、携帯電話と小型プリンタを接続したときの処理の流れを示すフローチャート、図９は、図２の小型プリンタの処理流れを示すフローチャート、図１０は、図１のスキャナ部の処理の流れを示すフローチャートである。
【００２４】
第１の実施形態は携帯電話等の移動体通信端末を用いてインターネットのウエブページなどのサイトにアクセスする通信システムにおいて、小型プリンタの印刷制御を行う。
【００２５】
携帯電話Ｂ２は、例えばＷＡＰ（Ｗｉｒｅｌｅｓｓ  ＡｐｐｌｉｃａｔｉｏｎＰｒｏｔｏｃｏｌ）やＩ−ｍｏｄｅ（登録商標）等の名称で規格化された、簡易化プロトコルによって、インターネットの所望サイトにアクセスする。
【００２６】
図１において、インターネットに接続可能は携帯電話Ｂ２等の移動体通信端末が設けられ、携帯電話Ｂ２は、無線基地局Ｂ１との間でチャンネルを設定して、そのチャンネルを通じ、無線基地局Ｂ１を介して、任意のインターネットプロバイダとの間でデータ通信を実行する。
【００２７】
携帯電話Ｂ２は、前記プロトコルによりインターネットのサイトにアクセスし、そのサイトから伝送されるウエブページを表示部に表示するとともに、サイトに対して各種データを伝送し得る。携帯電話Ｂ２には小型プリンタＢ３が接続され、サイトにアクセスして入手した画像、メッセージ等、あるいはサイトにアクセスするためのＵＲＬ等をカードサイズの印刷媒体Ｂ４に印刷可能である。
【００２８】
小型プリンタＢ３の幅方向の一端部にはスキャナ部Ｂ９が設けられ、スキャナ部Ｂ９によってカード印刷物Ｂ４全体や、カードサイズ読取り媒体Ｂ５の一部分を読取り可能であり（以下カード印刷物Ｂ４全体や、カードサイズ読取り媒体Ｂ５を総称してＵＲＬカードという。）、これによって、ＵＲＬカードＢ４、Ｂ５に記録された文字を文字認識し、ネットワーク上の、サイトへのアクセスに必要な情報、例えばＵＲＬ、メールアドレス等の識別子を取得する。
【００２９】
一部分のみを読取るＵＲＬカードには、ＵＲＬやメールアドレスが印刷されている名刺等がある。名刺では、メールアドレスは例えば最下部に印刷されており、ウエブページのＵＲＬは最下部においてメールアドレスと平行して記載されることが多い。この場合、名刺に書かれている識別子を読取るためには、名刺の下部の２〜３行を読取るだけでよく、名刺全体を読取る必要はない。
【００３０】
ＵＲＬの文字数は最長で１００文字程度であり、ＵＲＬカードの長手方向２行以内に記述可能である。
【００３１】
小型プリンタＢ３によって、識別子をカードサイズのＵＲＬカードに印刷しておけば、識別子の検索に便利であり、頻繁に使用するＵＲＬを記録しておけば、特に利便性が高い。
【００３２】
従って読取り媒体全体をスキャンして読取り文字認識する必要はなく、本実施形態ではＵＲＬカードの一部分のみを読取る。
【００３３】
無線基地局Ｂ１は、移動体通信回線の運用者の制御で、各端末装置との無線通信が可能である。
【００３４】
各携帯電話Ｂ２がインターネットにアクセスする際には、無線基地局Ｂ１に接続されたキャリア側サーバＢ６にダイヤルアップで接続した後、このサーバＢ６に接続されたインターネットＢ７にアクセスする。図１では、説明を簡単にするために無線基地局Ｂ１を１つだけ示したが、実際には複数の無線基地局が設置され、各無線基地局についてサービスエリアが設定してある。キャリア側サーバＢ６も、各地域毎に複数用意されることもある。
【００３５】
インターネットＢ７には、図示しない数多くのサーバが接続されており、携帯電話Ｂ２への提供画面だけでなく、パソコンなどインターネットに接続可能な機器への提供画面を保持するサーバも接続されている。
【００３６】
図２において、小型プリンタＢ３は、プリンタユニット外装Ｂ１０を有し、外装Ｂ１０には、印刷媒体Ｂ４のための給紙・排紙口Ｂ１４、ＵＲＬカード等の読取り媒体Ｂ５をスキャナ部Ｂ９へ挿入するための挿入スリットＢ２６等の開口が設けられている。
【００３７】
印刷媒体Ｂ４は紙送りローラＢ１６によって給紙され、読取り媒体Ｂ５は駆動ローラＢ２０およびとピンチローラＢ２１によって搬送される。
【００３８】
小型プリンタＢ３は、携帯電話Ｂ２から送られてきた印字信号に基づき、印字ヘッドＢ１２によって印刷媒体Ｂ４に対する印字を行う。印字ヘッドＢ１２はキャリッジ移動ベルトＢ１１によって駆動されて、レールＢ１３に沿って、水平方向に往復動する。ベルトＢ１１は両端部においてプーリ（図示省略）にかけられている。
【００３９】
送りローラＢ１６、駆動ローラ２０、キャリッジ移動ベルトＢ１１のプーリはモータＢ１１によって駆動される。
【００４０】
図２は、小型プリンタＢ３の構成を簡略化して示しているが、小型プリンタＢ３には、制御回路等が配設された電子回路ユニット、この電子回路ユニットから印字ヘッドＢ１２に印字信号を導くフラットケーブル、印字ヘッドＢ１２の回復系等、必要な構造要素が含まれる。
【００４１】
スキャナ部Ｂ９には、読取り媒体Ｂ５の一部分がスリットＢ２６から差し込まれたことを検出する検出器Ｂ１８と、読取り媒体Ｂ５を読取る読取り部Ｂ２８と、さらに読取り媒体Ｂ５が読取り部Ｂ２８に入ったことを検出する検出部Ｂ１９が設けられている。
【００４２】
検出器Ｂ１８、Ｂ１９の両者が読取り媒体Ｂ５を検出すると、電子回路ユニットの制御回路によりモータＢ１１が駆動され、モータＢ１１はギアー（図示省略）を介して駆動ローラＢ２０を回転駆動する。これによって、駆動ローラＢ２０とピンチローラＢ２１に挟まれた読取り媒体Ｂ５を、一定速度で読取方向に搬送する。
【００４３】
読取り部Ｂ２８には、読取り媒体Ｂ５の照明のためのＬＥＤアレイＢ２４、ＣＣＤセンサＢ２３等の撮像素子、読取り媒体Ｂ５の画像を撮像素子に合焦するためのレンズＢ２２を含む。
【００４４】
従来例でも説明したように、携帯電話Ｂ２をネットワークに接続する際に、ＵＲＬ等の識別子を、携帯電話Ｂ２のキーを使って入力するのは極めて煩雑であるが、本実施形態では、識別子を小型プリンタＢ３で印字し、印字した識別子をスキャナ部Ｂ９によって読取る。これによってキー操作による識別子入力は全く不要になり、簡便な識別子入力が可能である。
【００４５】
スキャナ部Ｂ９でＵＲＬカードＢ５を読取る際に、ＵＲＬカードＢ５全体をスキャナ部Ｂ９に挿入せず、識別子が記述された部分のみをスリットＢ２６から挿入するので、スキャナ部Ｂ９の幅寸法は小さい。従って、小型プリンタＢ３の、スキャナ部Ｂ９を設けたことによる寸法増加はわずかであり、小型プリンタＢ３の全体寸法は小さい。
【００４６】
なお従来から、印字と読取りの給紙機構を共通とし、印字ヘッドとスキャン用ヘッドとを切り替えるプリンタ（従来例５という。）が知られているが、印字ヘッドとスキャン用ヘッドとの交換は煩雑な操作である。特に、頻繁に識別子入力が行われる場合、印字ヘッドとスキャン用ヘッドを頻繁に交換することは、識別子の簡便な入力を主眼とする本実施形態において好ましくない。
【００４７】
またファクシミリのように印字機構と読取機構を垂直方向に重ねる方法（従来例６という。）もあるが、装置全体の垂直方向の厚みが増加し、外観性能が悪化する。
【００４８】
さらに、特開２０００−２８５０５６号（従来例７という。）において、手動で読取り媒体Ｂ５上をスキャンする方法も提案されているが、一定速度で手動スキャンするにはある程度の訓練を要し、スキャン速度が高すぎると読取りミスの原因になる。さらに手動スキャンの読取り開始位置を正確に合わせること容易ではなく、読取りミスの原因の一つとなる。
【００４９】
さらに従来のＵＲＬを光学的に読取る装置において、レンズ機構を用いたものはレンズ機構の構造によって大型化し、あるいはフラットベッドタイプのものは読取り画像を確保するために装置が大型化する。
【００５０】
第１の実施形態は、従来例５〜従来例７の欠点を取り除きつつ、プリンタの幅寸法を最小限に抑えている。すなわち、小型プリンタＢ３は、スキャナ部Ｂ９を内蔵した構成ながら最小限の寸法に小型化されている。
【００５１】
図３ａにおいて、ＵＲＬカードＢ５には、識別子であるＵＲＬがキャラクタ画像と共に印刷され、ＵＲＬは、通常のＵＲＬと同様、「ｈｔｔｐ：／／ｗｗｗ．」で始まり途中に複数のドット（．）と複数のスラッシュ（／）が含まれている。
【００５２】
ＵＲＬの文字列を文字認識しようとすると、まず１文字ずつの文字切り出しを要し、文字切り出しは相隣接する文字画素の混在を防止する必要がある。
【００５３】
図４ａにおいて、アルファベット文字「Ｏ」とアルファベット文字「ＪＰ」の間にドット「．」が存在し、「Ｏ」は領域Ｄ１にあり、ドット「．」が領域Ｄ２、「Ｊ」と「Ｐ」がそれぞれ領域Ｄ３、Ｄ４にある。これら文字列は、各文字の間に１ドット分のスペースが存在し、正常な文字切り出しが可能である。
【００５４】
図４ｂにおいて、アルファベット文字「Ｏ」、「Ｊ」の間にドット「．」Ｄ７が存在し、ドット「．」Ｄ７の後にアルファベット文字「Ｐ」が配置されている。「Ｏ」は領域Ｄ１、ドット「．」Ｄ７および「Ｊ」が領域Ｄ５、「Ｐ」が領域Ｄ４にある。領域Ｄ５において、ドット「．」Ｄ７および文字「Ｊ」は垂直方向の投影がつながっており、文字切り出しに際して、一つの文字として切り出されてしまう。さらにアルファベット文字「Ｊ」、「Ｐ」間の領域Ｄ６には汚れＤ８が存在し、これはドット「．」と誤認識される可能性が高い。
【００５５】
すなわち、図４ｂの文字列では、異常な文字切り出しが行われる可能性が高い。
【００５６】
図４ｂではドット「．」に関連して発生し易い、文字切り出しの不具合を説明したが、スラッシュ「／」についても、隣の文字が「Ｗ」や「Ｖ」であったとき、不具合が発生し易く、文字認識率の低下原因の一つとなる。
【００５７】
また従来例でも説明したように文字認識のアルゴリズムでドット「．」、コロン「：」、コンマ「，」の相互の識別、およびこれら記号と紙面上の汚れの識別は難しく、文字認識率低下の一因となる。
【００５８】
図３ｂにおいて、図３ａのＵＲＬにおける、文字認識率低下の原因になっていたドット「．」、スラッシュ「／」を他の文字認識しやすい記号に変更して印字している。すなわち、ドット「．」を「●」に変更し、スラッシュ「／」を「▲」に変更するとともに、ＵＲＬ先頭の文字列「ｈｔｔｐ：／／ｗｗｗ．」を「□」に変換して印刷している。
【００５９】
ＵＲＬカードＢ５印刷時に、このような表記を印刷すれば、スキャナ部Ｂ９で読取るときに高い認識率を確保し得る。
【００６０】
図５において、小型プリンタＢ３には接続コネクタＢ３０が設けられ、携帯電話Ｂ２から送られてくる印字データは接続コネクタＢ３０から小型プリンタＢ３に入力され、スキャナ部Ｂ９で読取り文字認識したデータは接続コネクタＢ３０から携帯電話Ｂ２に送出される。
【００６１】
小型プリンタＢ３携帯電話Ｂ２間のデータ送受信のインターフェースには、ＵＳＢ（Ｕｎｉｖｅｒｓａｌ  Ｓｅｒｉａｌ  Ｂｕｓ）、ＲＳ２３２Ｃ等のシリアル・インターフェース、ＩＥＥＥ１２８４等のパラレル・インターフェース、ブルートゥース等の無線インターフェース等、種々のインターフェースを採用し得る。ここではＵＳＢインターフェースを採用した例を示す。
【００６２】
接続コネクタＢ３０は送受信制御部Ｂ３１に接続され、送受信制御部Ｂ３１はバスラインＢ３４に接続され、バスラインＢ３４には制御部Ｂ３２、メモリＢ３３、印字制御部Ｂ３５、ＡＤ変換器Ｂ３７、電源Ｂ４０が接続されている。
【００６３】
送受信制御部Ｂ３１は携帯電話Ｂ２から送られてくるシリアルデータを受信して、８ビット・パラレルデータに変換するとともに、メモリＢ３３の所定アドレスに格納する。
【００６４】
送受信制御部Ｂ３１は、制御部Ｂ３２とともにメモリＢ３３を制御する。
【００６５】
印字制御部Ｂ３５には印字ヘッドＢ１２等の印字機構Ｂ３６が接続され、ＡＤ変換器Ｂ３７にはスキャナ部Ｂ９が接続されている。
【００６６】
スキャナ部Ｂ９は制御部Ｂ３２によって制御され、スキャナ部Ｂ９で読取った画像はＡＤ変換器Ｂ３７でデジタルデータに変換され、制御部Ｂ３２の制御によりメモリＢ３３に格納される。さらにデジタルデータは制御部Ｂ３２において文字認識され、文字認識結果は、制御部Ｂ３２の制御によって、送受信制御部Ｂ３１においてシリアルデータに変換されて、接続コネクタＢ３０から携帯電話Ｂ２に送信される。
【００６７】
制御部Ｂ３２は、マイクロプログラムを解読して１ステップごとに実行していくマイクロプロセッサー、マイクロプログラムを記憶するＲＯＭ、演算に必要なデータなどを記憶するＲＡＭなどを含み、通信、印字、文字認識その他の処理を実行するとともに、小型プリンタＢ３全体を制御する。
【００６８】
メモリＢ３３は、印刷するためのデータ、スキャナ部Ｂ９で読取られた画像の文字認識結果の文字データ、印字時の変換テーブル等を記憶する。
【００６９】
メモリＢ３３は、例えばフラッシュメモリであり、電源電圧が供給されなくても記憶データを保持し得る。
【００７０】
印字制御部Ｂ３５は、制御部Ｂ３２からの印字指令に基づき、メモリＢ３３に格納された印字データを１ラインずつ呼び出し、所定印字タイミングで、印字機構Ｂ３６への印字ヘッド駆動信号として送出する。
【００７１】
電源Ｂ４０は小型プリンタＢ３の各部に電源を供給する。
【００７２】
図６において、メモリＢ３３には、以下の記憶領域Ｍ１乃至Ｍ７が設けられている。
【００７３】
記憶領域Ｍ１は印字データ記憶部であり、携帯電話Ｂ２から送られてきた印字データを記憶する。
【００７４】
記憶領域Ｍ２は印字文字記憶部であり、携帯電話Ｂ２から送られてきた印字データにおける、文字データを表す文字コード情報を記憶する。文字コード情報は、印字データに対する検出処理によって抽出される。
【００７５】
記憶領域Ｍ３は取込画像記憶部であり、スキャナ部Ｂ３８が読取り媒体Ｂ５から読取った画像を記憶する。読取り媒体Ｂ５上の画像は、スキャナ部Ｂ３８で読取った後、ＡＤ変換器Ｂ３７でデジタルデータに変換される。
【００７６】
記憶領域Ｍ４は認識文字記憶部であり、制御部Ｂ３２の制御により文字認識された文字列を記憶する。
【００７７】
記憶領域Ｍ５は送信データ記憶部であり、認識文字記憶部Ｍ５の内容に修正を盛り込んだ文字列を記憶する。
【００７８】
記憶領域Ｍ６は変換テーブルである。変換テーブルＭ６の詳細については図７に関連して後述する。
【００７９】
記憶領域Ｍ７はフォント記憶部であり、アルファベット文字などの文字コードや記号のコード情報に対応して、フォントを記憶している。
【００８０】
図７において、メモリＢ３３の記憶領域Ｍ６に格納された変換テーブルＭ６は、例えば以下のように構成されている。
【００８１】
変換テーブルＭ６には、アルファベット文字、記号、あるいはこれらの組み合わせの内所定のもの（例えば「．」、「／」である。以下「認識困難文字」という。）を、所定の記号（例えば、「●」、「▲」、「□」である。以下「認識用文字」という。）に変換するために、アルファベット文字、記号と、対応する認識用文字の文字コード等、コード情報が登録されている。アルファベット文字、記号は、携帯電話Ｂ２の登録処理によって、メモリＢ３３に固定的に格納される。
【００８２】
変換テーブルＭ６には、ＵＲＬの先頭文字列として一般的な「ｈｔｔｐ：／／ｗｗｗ．」の文字コードが登録され、携帯電話Ｂ２から送られてきた文字列にＵＲＬが含まれていることを容易に認識し得る。小型プリンタＢ３は、文字列がＵＲＬであるとき、認識困難文字を認識用文字に変換し、変換を実行するか否かを、所定の文字列「ｈｔｔｐ：／／ｗｗｗ．」によって判断する。このような変換実行の判断の基礎となる文字列を、以下「変換実行子」という。制御部Ｂ３２が変換実行子を検出したときは、変換実行子を対応する認識用文字に変換するとともに、ＵＲＬに含まれる認識困難文字を対応認識用文字に変換する。
【００８３】
変換実行子を設定したことによって、携帯電話Ｂ２からの文字列において変換実行子が存在しないときは、直ちに変更処理を実行せずに印字を行う。
【００８４】
図７の例では、変換実行子「ｈｔｔｐ：／／ｗｗｗ．」を「□」に、「．」を「●」に、「／」を「▲」にそれぞれ変換する。
【００８５】
一方、スキャナ部Ｂ９が読取り媒体Ｂ５の画像をスキャンし、認識用文字その他ＵＲＬに関連した文字等を検出したときには、文字列をＵＲＬとみなし、認識用文字を認識困難文字に逆変換して、文字列を携帯電話Ｂ２に送信する。
【００８６】
変換テーブルＭ６は、小型プリンタＢ３に固定的に記憶されているアルファベット文字、記号に対して、携帯電話Ｂ２のキーボードから記号等を入力して生成するので、小型プリンタＢ３では登録処理のための表示器やキー群が不要である。さらに変換テーブルＭ６は小型プリンタＢ３のメモリＢ３３に記憶されているので、携帯電話Ｂ２を変更しても、認識用文字を当初のＵＲＬに復元でき、復元したＵＲＬを携帯電話Ｂ２に送信して、所望のサイト等に接続し得る。
【００８７】
図８において、携帯電話Ｂ２と小型プリンタＢ３を接続状態にして、以下の各ステップにより、変換テーブルＭ６の編集処理を行う。
【００８８】
ステップＦ１：携帯電話Ｂ２のキーを操作して、小型プリンタＢ３を変換テーブル編集モードに設定する。
【００８９】
ステップＦ２：携帯電話Ｂ２からの要求により，変換テーブルＭ６を小型プリンタＢ３から携帯電話Ｂ２に送信する。
【００９０】
ステップＦ３：携帯電話Ｂ２のキーを使って認識困難文字に対応する文字記号を入力する。小型プリンタＢ３から携帯電話Ｂ２に送られた認識用文字等が、携帯電話Ｂ２における表示手段のフォントに含まれていないときは、記号等を変更して表示してもよい。例えば、小型プリンタＢ３が「□」の記号を送信し、携帯電話Ｂ２において、「□」に替えて「Ｋ１」を表示する。同様に、「●」に替えて「Ｋ２」を表示し、「▲」に替えて「Ｋ３」を表示しても良い。また携帯電話Ｂ２が保有しないフォントを小型プリンタＢ３のフォント記憶部Ｍ７から呼び出し、携帯電話Ｂ２において表示しても良い。
【００９１】
ステップＦ４：携帯電話Ｂ２のキーを操作して、「ｈｔｔｐ：／／ｗｗｗ．」等の変換実行子を入力する。変換処理において、一連の文字列が変更実行子で始まっているとき、認識困難文字を認識用文字に変換する。
【００９２】
変換処理の詳細については図９に関連して後述する。
【００９３】
ステップＦ５：携帯電話Ｂ２の入力操作によって完成した変換テーブルＭ６を小型プリンタＢ３に送信する。
【００９４】
ステップＦ６：小型プリンタＢ３において、変換テーブルＭ６を受信し、制御手段Ｂ３２の制御により、変換テーブルＭ６をメモリＢ３３の記憶領域Ｍ６に格納する。
【００９５】
以上により、変換テーブルＭ６の編集処理が完了する。
【００９６】
図９において、小型プリンタＢ３でＵＲＬカードＢ５を印刷する処理は以下の各ステップにより実行される。
【００９７】
ステップＦ１１：印字信号を受信したか否か判断し、印字信号を受信したときは印字データを印字データ記憶部Ｍ１に記憶する。
【００９８】
ステップＦ１２：印字データに文字データが含まれているか否か判断し、文字データが含まれていないとき、すなわち印字データが写真画像等の画像データのみのときはステップＦ１９に移行する。文字データが含まれていたときは、印字文字記憶部Ｍ２に文字データを記憶して、ステップＦ１３に移行する。
【００９９】
ステップＦ１３：印字文字記憶部Ｍ２で記憶した文字データに識別子に関する記載があるかどうか判断する。すなわち、変換実行子「ｈｔｔｐ：／／ｗｗｗ．」の文字コードが存在するか否か判別する。変換実行子が存在しないときはステップＦ１９に移行し、変換実行子が存在するときはステップ１４に移行する。
【０１００】
ステップＦ１４：変換テーブルＭ６を参照し、ステップＦ１５に移行する。
【０１０１】
ステップＦ１５：印字データの文字データに所定の認識困難文字が含まれるか否か判断し、認識困難文字が含まれたときはステップＦ１７に移行する。認識困難文字が含まれなかったときはステップＦ１９に移行する。
【０１０２】
ステップＦ１７：変換実行子「ｈｔｔｐ：／／ｗｗｗ．」を「□」に、ドット「．」を「●」に、「／」を「▲」にそれぞれ変換する等、所定の変換処理を実行する。
【０１０３】
Ｆ１９：必要な変換処理が施された印字データを印刷する。
【０１０４】
図１０において、ＵＲＬカードＢ５をスキャナ部Ｂ９で読取る際には以下の各ステップを実行する。
【０１０５】
ステップＦ２１：ＵＲＬカードＢ５がスキャナ部Ｂ９に挿入されたか否か判断する。図２に関連して説明したように、ＵＲＬカードＢ５は検出器Ｂ１８、Ｂ１９によって検出され、ＵＲＬカードＢ５が挿入されたときはステップＦ２２に移行する。
【０１０６】
ステップＦ２２：スキャナ部Ｂ９を能動にする。モータＢ１１によって駆動ローラＢ２０を回転駆動してＵＲＬカードを搬送し、ＬＥＤアレイＢ２４を点灯してＵＲＬカードが照明されるようにする。
【０１０７】
ステップＦ２３：読取り部Ｂ２８によって、ＵＲＬカードの画像を読取り、読取った画像を取込画像記憶部Ｍ３で記憶する。
【０１０８】
ステップＦ２４：取込画像記憶部Ｍ３に記憶された画像について、制御部Ｂ３２の制御により文字認識を実行する。
【０１０９】
文字認識に際しては、変換テーブルＭ６で示した「●」、「▲」、「□」の認識用文字はそのまま文字認識する。ドット「．」やスラッシュ「／」の認識困難文字に比較して、認識用文字は特徴が明確であり、文字切り出しも容易なので、誤認識の可能性が低い。従って高い認識率が得られる。
【０１１０】
ステップＦ２５：文字認識結果を文字コードで認識文字記憶部Ｍ５に記憶する。
【０１１１】
ステップＦ２６：変換テーブルＭ６のチェックを行う。
【０１１２】
ステップＦ２７：変換テーブルＭ６で指定した認識用文字が存在するか否か判断し、認識用文字が存在すればステップＦ２８に移行する。認識用文字が存在しないときはステップＦ２９に移行する。
【０１１３】
ステップＦ２８：変換テーブルＭ６を参照して、認識用文字を認識困難文字の文字コードに逆変換する。
【０１１４】
ステップＦ２９：変換（復号）処理が終了した文字コード情報を送信データ記憶部Ｍ５に記憶する。
【０１１５】
ステップＦ３０：送信データ記憶部Ｍ５の内容を携帯電話Ｂ２に送信する。
【０１１６】
ステップＦ３１：ステップＦ３０において携帯電話Ｂ２が受け取った文字コード情報にネットワーク接続のための識別子が含まれているか否か判断する。識別子が存在するときはステップＳ３２に移行し、識別子が存在しなければそのまま処理を終了する。
【０１１７】
ステップＦ３２：ネットワーク接続処理を実行する。
【０１１８】
小型プリンタＢ３は、スキャナ部Ｂ９でＵＲＬカードＢ５をスキャンし、文字認識処理後、携帯電話Ｂ２に伝送する。認識された文字等にネットワークに接続するための識別子が存在したときは、携帯電話Ｂ２は自動的にインターネットサイト等に接続する処理を実行する。従って、ＵＲＬカードＢ５をスキャンするという単純な操作で、インターネットに接続可能であり、何ら複雑な操作を必要としない。
【０１１９】
またドットやスラッシュなど文字認識が容易でない（誤認識しやすい）文字、記号を、あらかじめ認識用文字に変換して印刷しているため、誤認識を防止でき、高い認識率を確保し得る。これによって文字認識後の文字列の確認や修正は不要になる。
【０１２０】
以上のとおり、第１の実施形態は、変換テーブルを用いて認識しづらい文字を変換してＵＲＬカードに印刷することにより、ＵＲＬカードスキャン時の文字認識率が向上し、認識不良時における再スキャンや、キー操作による認識文字修正作業を軽減または不要にし得る。また変換テーブルを小型プリンタ側に記憶しているので、小型プリンタに接続した任意の通信端末において、ＵＲＬカードの文字を変換テーブルで逆変換して識別子を出力できる。すなわち、ＵＲＬカードをスキャンするだけでネットワークに接続できる。従って第１の実施形態は、小型プリンタに接続可能な任意の機器に適用し得る。
【０１２１】
なお第１の実施形態については、以下のような種々の変形例が存在する。
【０１２２】
［第１の実施形態の変形例１］
小型プリンタＢ３に種々の額縁、キャラクタ等を記憶しておき、ウェブページで取得した画像や電子メールで受信した写真等に、これら額縁やキャラクタを付加して印刷する。
【０１２３】
［第１の実施形態の変形例２］
第１の実施形態では、認識困難文字や認識用文字は、小型プリンタＢ３に固定的に記憶された文字等であったが、携帯電話Ｂ２が保有し、あるいはウエブページから取得したキャラクタ等を、携帯電話Ｂ２から変換テーブルＭ６に登録可能としてもよい。
【０１２４】
［第１の実施形態の変形例３］
携帯電話Ｂ２に内蔵され、あるいはケーブル接続されたデジタルカメラで撮影した写真、あるいは写真をキャラクタ化した画像を小型プリンタＢ３のメモリＢ３３に記憶可能とする。
【０１２５】
［第１の実施形態の変形例４］
第１の実施形態はＵＲＬを特定の認識用文字に変換し、印刷したＵＲＬカードＢ５をスキャンしたが、電子メールアドレスの一部、例えば「＠」およびドット「．」を特定の認識用文字に変換し、ＵＲＬカードに印刷してもよい。
【０１２６】
［第１の実施形態の変形例５］
第１の実施形態ではＵＲＬカードＢ５をスキャンしてネットワーク接続する場合を説明したが、ＵＲＬカードＢ５をスキャンして携帯電話内部で記憶しているゲーム等を起動してもよい。
【０１２７】
［第１の実施形態の変形例６］
第１の実施形態では、携帯電話Ｂ２と小型プリンタＢ３とを接続したが、携帯電話Ｂ２に替えてＰＤＡ（Ｐｅｒｓｏｎａｌ  Ｄｉｇｉｔａｌ  Ａｓｓｉｓｔｓ）やネットワークに接続可能なデジタルカメラ等、種々の通信端末を小型プリンタＢ３に接続してもよい。
【０１２８】
［第２の実施形態］
次に本発明に係る印刷制御方法の第２の実施形態を図面に基づいて説明する。
【０１２９】
図１１は、第２の実施形態を示すシステム全体の構成図、図１２は、図１１の小型プリンタの編集処理の流れを示すフローチャートである。図中、第１の実施形態と同一もしくは相当部分には同一符号を付す。
【０１３０】
第２の実施形態では、変換テーブルＭ６を一旦携帯電話Ｂ２内に送信し、携帯電話Ｂ２内で変換テーブル編集処理を実行する。また、小型プリンタＢ３を携帯電話Ｂ２のクレードル（台座）の形態とし、ケーブル等の接続を不要とする。
【０１３１】
図１１において、小型プリンタＢ３の上面には凹部Ｂ５０が形成され、携帯電話Ｂ２を凹部Ｂ５０に差込むことにより、携帯電話Ｂ２を小型プリンタＢ３に接続し得る。携帯電話Ｂ２を小型プリンタＢ３に接続した状態では、小型プリンタＢ３は携帯電話Ｂ２のクレードル（台座）としても機能する。
【０１３２】
従って、ＵＳＢケーブル等のインターフェース・ケーブルを接続することなく、携帯電話Ｂ２を小型プリンタＢ３に接続し得る。
【０１３３】
図１２において、第２の実施形態における変換テーブルＭ６の編集処理は以下の各ステップにより実行される。
【０１３４】
ステップＦ５０：携帯電話Ｂ２のキーを操作し変換テーブル受信モードに設定する。これによって、携帯電話Ｂ２は小型プリンタＢ３から変換テーブルＭ６を受信可能となる。
【０１３５】
ステップＦ５１：矢印Ｂ５１で示すように、小型プリンタＢ３の凹部Ｂ５０に携帯電話Ｂ２を挿入する。これによって携帯電話Ｂ２は小型プリンタＢ３に接続される。小型プリンタＢ３が接続を確認すると、ステップＦ５２に移行する。
【０１３６】
ステップＦ５２：小型プリンタＢ３は送受信制御部Ｂ３１の制御により変換テーブルＭ６を携帯電話Ｂ２に送信する。携帯電話Ｂ２は、変換テーブルＭ６を受信完了すると、表示手段あるいはブザー等により受信完了をユーザに通知する。これによって変換テーブルＭ６が携帯電話Ｂ２内に格納される。
【０１３７】
ステップＦ５３：ユーザは携帯電話Ｂ２を小型プリンタＢ３から取り外す。
【０１３８】
ステップＦ５４：携帯電話Ｂ２のキー操作により認識困難文字、認識用文字を入力し、変換テーブルＭ６を編集する。
【０１３９】
ステップＦ５５：ＵＲＬ先頭文字列等、変換実行子を入力する。
【０１４０】
ステップＦ５６：携帯電話Ｂ２の操作により、変換テーブルＭ６を携帯電話Ｂ２から小型プリンタＢ３に送信し得る状態に設定する。さらに、携帯電話Ｂ２を凹部Ｂ５０に挿入し、携帯電話Ｂ２と小型プリンタＢ３とを接続する。
【０１４１】
ステップＦ５７：編集済みの変換テーブルＭ６を携帯電話Ｂ２から小型プリンタＢ３へ送信する。
【０１４２】
ステップＦ５８：変換テーブルＭ６を小型プリンタＢ３内のメモリＢ３３に格納し、変換テーブルＭ６の編集処理を完了する。
【０１４３】
第２の実施形態では、携帯電話Ｂ２を小型プリンタＢ３で支持した状態で接続が確保され、ケーブル接続が不要であるので、第１の実施形態に比べ操作性が良好である。
【０１４４】
［第３の実施形態］
次に本発明に係る印刷制御方法の第３の実施形態を図面に基づいて説明する。
【０１４５】
図１３は、第３の実施形態におけるシステム図、図１４は、第３の実施形態を示すメモリマップ、図１５は、第３の実施形態における小型プリンタの変換テーブルを示す表である。図中、第１の実施形態と同一もしくは相当部分には同一符号を付す。
【０１４６】
第３の実施形態では、小型プリンタＢ３に外部記憶装置としてのメディアパックＢ６０を設け、メディアパックＢ６０内のメモリに変換テーブルＭ６や画像テーブルＭ８を記憶する。
【０１４７】
図１３において、小型プリンタＢ３にはメディアパックＢ６０が設けられている。メディアパックＢ６０は、フラッシュメモリよりなる外部メモリＢ６１を内蔵した、カードサイズの外部記憶装置であり、小型プリンタＢ３により出力される印字紙所定枚数分の印字データを格納し得る。メディアパックＢ６０を小型プリンタＢ３に装着すると、外部メモリＢ６１の信号線は小型プリンタＢ３内部のバスラインＢ３４に接続される。
【０１４８】
図１４において、小型プリンタＢ３のメモリＢ３３、およびメディアパックＢ６０には以下の記憶領域Ｍ１乃至Ｍ８が割り当てられている。
【０１４９】
第１の実施形態同様、記憶領域Ｍ１は印字データ記憶部、記憶領域Ｍ２は印字文字記憶部、記憶領域Ｍ３は取込画像記憶部、記憶領域Ｍ４は認識文字記憶部、記憶領域Ｍ５は送信データ記憶部、記憶領域Ｍ７はフォント記憶部であり、メモリＢ３３に設けられる。
【０１５０】
記憶領域Ｍ６は、第１の実施形態同様の変換テーブルであるが、変換テーブルＭ６はメディアパックＢ６０内に格納される。
【０１５１】
記憶領域Ｍ８は画像テーブルであり、メディアパックＢ６０にあらかじめ格納されたキャラクタや額縁等の画像を、所定の認識困難文字に対応付ける。キャラクタや額縁等の画像は、例えばメディアパックＢ６０のメーカにおいて、その製造時に記憶される。画像テーブルＭ８は変換テーブルＭ６の変形例ととらえることができる。
【０１５２】
画像テーブルＭ８の登録及び編集処理は、変換テーブルＭ６と同様、図８の処理手順で実行される。
【０１５３】
画像テーブルＭ８は、小型プリンタＢ３の印刷実行時に参照され、携帯電話Ｂ２から小型プリンタＢ３に認識困難文字が送られたときに、小型プリンタＢ３は認識困難文字に対応する画像を印刷する。
【０１５４】
図１５において、画像テーブルＭ８には、認識用文字として種々の画像、例えば、額縁１、額縁２、額縁３、怪獣Ａ、怪獣Ｂ、ロボットＣ、ロボットＤの画像が登録されている。第１の実施形態と同様、これら画像は、対応する認識困難文字が検出したときに印字される。画像は、メディアパック出荷時にあらかじめ記憶されており、ユーザは好みに応じてメディアパックＭ６０を選択、購入し得る。
【０１５５】
画像テーブルＭ８は、メディアパックＭ６０の画像を用いて、編集し得る。
【０１５６】
画像テーブルＭ８の編集処理に際しては、図８のフローチャートと同様、画像テーブルＭ８を携帯電話Ｂ２に送信して、一旦携帯電話Ｂ２に記憶する。
【０１５７】
携帯電話Ｂ２では、キー操作により、個々の画像に対応する認識困難文字を指定する。認識困難文字には所定の変換実行子、例えば「ｈｅｎｎｋａｎｎ：：」を含める。変換テーブルＭ６と異なり、画像デーブルＭ８では、個々の認識困難文字に変換実行子を含め、変換すべきことを指定する。
【０１５８】
例えば、額縁１の画像に対しては、父親が使いたい額縁として「ｈｅｎｎｋａｎｎ：：ｐａｐａ」の認識困難文字を指定し、額縁２に対しては母親が使いたい額縁として「ｈｅｎｎｋａｎｎ：：ｍａｍｍａ」の認識困難文字を指定し、子供の一郎が使いたい額縁として「ｈｅｎｎｋａｎｎ：：ｉｃｈｉｒｏ」の認識困難文字を指定する。
【０１５９】
こように、個々の認識困難文字に変換実行子を含めることも可能である。
【０１６０】
携帯電話Ｂ２のキー操作により画像テーブルＭ８の編集が完了したときに、画像テーブルＭ８はメディアパックＭ６０内の外部メモリＢ６１に記憶される。
【０１６１】
近年、ＳＤカード（登録商標）やメモリスティック（登録商標）などデジタルカメラやパソコンに接続可能な大容量の外部メモリが普及しているが、第３の実施形態のメディアパックＭ６０に内蔵された外部メモリＭ６１は、変換テーブルＭ６あるいは画像テーブルＭ８として印字時に使われる情報を記憶する程度の容量で足りる。従って、メディアパックＭ６０は比較的安価に製造し得る。
【０１６２】
また本発明の趣旨と範囲は、本発明の特定の説明と図に限定されるものではなく、本願特許請求の範囲に述べられた内容の様々な修正および変更に及ぶことは当業者にとって理解されるであろう。
【０１６３】
上述した本発明の第１乃至第３の実施形態について、以下に総括する。
【０１６４】
［実施態様１］
ネットワークに接続するための識別子を示す文字列内に含まれる、文字認識に適さない文字等（以下「要認識困難文字」という。）を識別する識別ステップと、前記認識困難文字を所定の記号等（以下「認識用文字」という。）に変換する変換ステップと、前記識別子を印刷する際に認識困難文字を認識用文字に変換して印刷する制御ステップとを有することを特徴とする印刷制御方法。
【０１６５】
［実施態様２］
ネットワークに接続可能な通信端末を接続し得る記録装置であって、前記通信端末から入力された印字データに基づいて印刷媒体に印字する印字部と、前記印字データに所定の認識困難文字が含まれていたときに、当該認識困難文字を認識用文字に変換して前記印字部で印字する変換テーブルと、前記印刷媒体に印字された文字を認識するスキャナ部と、を備え、前記スキャナ部で認識用文字が認識されたときに対応する認識困難文字に逆変換して前記通信端末に出力する記録装置。
【０１６６】
［実施態様３］
前記変換テーブルは、前記通信端末によって編集可能であることを特徴とする実施態様２記載の記録装置。
【０１６７】
［実施態様４］
前記変換テーブルを前記通信端末との間で送受信し得る送受信手段をさらに備え、前記変換テーブルは前記通信端末に格納された状態で前記通信端末によって編集可能であることを特徴とする実施態様２記載の記録装置。
【０１６８】
［実施態様５］
ネットワークに接続可能な通信端末と、前記通信端末から入力された印字データに基づいて印刷媒体に印字する記録装置と、印字データにおける文字認識に適さない文字等（以下「要認識困難文字」という。）を識別する識別ステップと、前記認識困難文字を所定の記号等（以下「認識用文字」という。）に変換する変換テーブルと、前記変換テーブルを前記通信端末と前記記録装置との間で送受信し得る送信手段と、前記変換テーブルを前記通信端末で編集する編集手段とを備えた通信システム。
【０１６９】
［実施態様６］  前記通信端末は携帯電話であることを特徴とする実施態様５に記載の通信システム。
【０１７０】
［実施態様７］  前記変換テーブルは特定の文字または文字列と特殊文字または記号を対応付けて記憶していることを特徴とする実施態様５または６に記載の電子機器システム。
【０１７１】
［実施態様８］  前記通信端末に画像データまたは文字データを送信するスキャナ手段と、前記スキャナ手段で読み取られた文字を文字認識する文字認識手段と、前記文字認識手段で認識用文字を検出したときに、前記変換テーブルを参照して、当該認識用文字を対応する認識困難文字に変換する制御手段とをさらに備えたことを特徴とする実施態様５乃至７のいずれかに記載の通信システム。
【０１７２】
［実施態様９］  前記通信端末はスキャナ手段で読み取られた文字等がネットワークに接続するための識別子であったとおきに、当該識別子を用いてネットワークに接続する判断手段をさらに備えたことを特徴とする実施態様５乃至８のいずれかに記載の通信システム。
【０１７３】
［実施態様１０］  前記スキャン手段の読取り幅は前記記録装置の印刷幅よりも小であることを特徴とする実施態様５乃至９のいずれかに記載の通信システム。
【０１７４】
［実施態様１１］  前記スキャン手段は前記記録装置の幅方向の一端部に設けられていることを特徴とする実施態様５乃至１０のいずれかに記載の通信システム。
【０１７５】
［実施態様１２］  前記記録装置の印刷媒体搬送路と、前記スキャナ手段の読取り媒体搬送路とは、垂直方向から見て重ならない位置に配置されていることを特徴とする実施態様５乃至１０のいずれかに記載の通信システム。
【０１７６】
［実施態様１３］
ネットワークに接続するための識別子を示す文字列内に含まれる、文字認識に適さない文字等（以下「要認識困難文字」という。）を識別する識別ステップと、前記認識困難文字を所定の記号等（以下「認識用文字」という。）に変換する変換ステップと、前記識別子を印刷する際に認識困難文字を認識用文字に変換して印刷する制御ステップとを、コンピュータに実行させるためのコンピュータ実行可能なコンピュータプログラム。
【０１７７】
【発明の効果】
本発明によれば、識別子の認識率を高め得る。
【図面の簡単な説明】
【図１】第１の実施形態を示すシステム全体の構成図である。
【図２】図１における小型プリンタの構成図である。
【図３ａ】従来の印刷媒体を示す平面図である。
【図３ｂ】図１における他の印刷媒体を示す平面図である。
【図４ａ】第１の実施形態の文字認識における、正常な文字切り出しを示す概念図である。
【図４ｂ】第１の実施形態の文字認識における、異常な文字切り出しを示す概念図である。
【図５】図２の小型プリンタを示すブロック図である。
【図６】図２の小型プリンタのメモリマップである。
【図７】図２の小型プリンタの変換テーブルを示す表である。
【図８】携帯電話と小型プリンタを接続したときの処理の流れを示すフローチャートである。
【図９】図２の小型プリンタの処理流れを示すフローチャートである。
【図１０】図１のスキャナ部の処理流れを示すフローチャートである。
【図１１】第２の実施形態を示すシステム全体の構成図である。
【図１２】図１１の小型プリンタの編集処理の流れを示すフローチャートである。
【図１３】第３の実施形態におけるシステム図である。
【図１４】第３の実施形態を示すメモリマップである。
【図１５】第３の実施形態における小型プリンタの変換テーブルを示す表である。
【符号の説明】
Ｂ２  携帯電話
Ｂ３  小型プリンタ
Ｂ４  印刷媒体
Ｂ５  ＵＲＬカード
Ｂ９  スキャナ部
Ｍ６  変換テーブル
Ｍ８  画像テーブル
Ｍ６０  メディアパック
【図１】
2004192041.tif 000003
【図２】
2004192041.tif 000004
【図３ａ】
2004192041.tif 000005
【図３ｂ】
2004192041.tif 000006
【図４ａ】
2004192041.tif 000007
【図４ｂ】
2004192041.tif 000008
【図５】
2004192041.tif 000009
【図６】
2004192041.tif 000010
【図７】
2004192041.tif 000011
【図８】
2004192041.tif 000012
【図９】
2004192041.tif 000013
【図１０】
2004192041.tif 000014
【図１１】
2004192041.tif 000015
【図１２】
2004192041.tif 000016
【図１３】
2004192041.tif 000017
【図１４】
2004192041.tif 000018
【図１５】
2004192041.tif 000019